(57)【要約】【課題】  合わせ調味料を計量カップで作るとき、それぞれの調味料の配合割合を容器の底部に設ける指示板に記載することによってその種類を数多くすることと、メニュープレイトを周壁に取り付けるものより入れ過ぎたり溢すことの無い調合指示板を提供する。【解決手段】  開口部１を有し、傾斜した透明な底部２を一体に形成した容器本体３に使用する指示板４で、その指示板４の表面には各種の調味料名６と各種の量目盛り７とを記載し、その指示板４を容器本体３の傾斜した底部２の外側や内側から着脱可能とした取り付け方法によって嵌着出来るものとした。【選択図】          図１
2005345162.tif 000002
【特許請求の範囲】
【請求項１】
開口部を有し、傾斜した透明な底部を一体に形成した容器本体の底部外側面より着脱可能状態として装着する指示板に、所要の合わせ調味料を作る各種の調味料名と調合する各種の量目盛りとを記載したことを特徴とする合わせ調味料の調合指示板。
【請求項２】
指示板を容器本体の底部内側面より着脱可能状態として装着する請求項１記載の合わせ調味料の調合指示板。
【発明の詳細な説明】
【技術分野】
【０００１】
この発明は、各種の調味料を混ぜ合わせて合わせ調味料を作る計量カップの底部に設けるもので、各種の調味料名とその調合する各種の量目盛りとを記載した合わせ調味料の調合指示板に関するものである。
【背景技術】
【０００２】
従来、合わせ調味料を作る方法としては、透明な計量容器の周壁に所定の飲食物や調味料に要する各種の調味料名や配合割合の各種の量目盛りを表示した調理指導容器の特許文献１があった。
【０００３】
また、各種の調味料名や配合割合の各種の量目盛りをメニュープレイートに記載したものを作成し、そのメニュープレイートを計量カップの外側になる周壁に取り付けと取り外しとを可能にした料理用計量カップの特許文献２もあった。
【０００４】
【特許文献１】特開平８−２７８１８３号公報
【特許文献２】特開平９−２３８８５３号公報
【発明の開示】
【発明が解決しようとする課題】
【０００５】
従来の特開平８−２７８１８３号の調理指導容器における容器の周壁に、各種の調味料名や配合割合の各種の量目盛りを表示することは、その容器の周壁の広さによって制限されるため合わせ調味料の種類を数多く表示することが出来ない欠点があった。
【０００６】
また、特開平９−２３８８５３号のメニュープレイートを周壁に取り付けて横から目盛りを見るものでは、注ぎ込まれている調味料の先端とメニュープレイートの目盛りとを一つの視線に入れて見ることが出来ず、調味料を容器から外れて注ぎ込んだり、目盛りより多く注ぎ込んだりする測り難さのある欠点があった。
【課題を解決するための手段】
【０００７】
本発明の合わせ調味料の調合指示板は、開口部１を有し、傾斜した透明な底部２を一体に形成した容器本体３に使用する指示板４で、容器本体３の傾斜した底部２の外側や内側から着脱可能とした貼着や嵌着手段によって装着させて使用するものである。
【０００８】
そして、この指示板４の上端には、合わせ調味料の名称５を見出しとして記載し、各種の調味料名６と調合する各種の量目盛り７とを記載しているものである。
【０００９】
したがって、開口部１より調味料の注ぎ先と量目盛り７とを見ながら、下側から順次所定の量を加えることが出来るので、間違いが少なく、指示板４に記載の合わせ調味料を作ることが出来るものである。
【発明の効果】
【００１０】
この発明によれば、指示板４を底部外側面８と底部内側面９とに取り付けと取り外しとができて、交換が出来るものであるから、指示板４を数多く作ることによって、様々な合わせ調味料を作ることが出来、自分で考えた自分だけの合わせ調味料の調合指示板とし保存することも出来る。
【００１１】
そして、使用するときには、開口部１より調味料の注ぎ先と量目盛り７とが一つの視線に入るので、注ぎ外しや入れすぎなどの間違いが起こり難く、計量による合わせ調味料が簡単に作ることが出来るものである。
【００１２】
本発明の指示板４は、カクテルやジュースなど利用範囲が広く、変わりない味が誰にでも作ることが出来、化学実験に使われる王水やクロム洗浄液等を作るときの指示板４としても作れるもので、幅広く使用することが出来るものとなる効果がある。
【発明を実施するための最良の形態】
【００１３】
以下、実施例を図面に基づいて説明する。
【実施例１】
【００１４】
本発明に係わる実施例の一つとしては、図１の平面図に示すように、指示板４は、ポリプロピレン等によるプラスチック類やたるみが無く張りのある紙質などによる板状とした楕円形で、その使用状態は図２に示すような、容器本体３の底部２の底部外側面８に重ね合わせたのものとして取り付けるものとしている。
【００１５】
そして、この指示板４の表面には、合わせ調味料の名称５を一番上に明記し、調合する各種の調味料名６と調合する量を表示する線による量目盛り７とを設けている。
【００１６】
この指示板４の底部２への取り付けは、上部ではそのまま差し込めば良く、下部においては底部２に設けた突起部１０と指示板４に設けた嵌合孔１１とのホック的なものによって嵌着させている。
【００１７】
このホック的な嵌着の他に、貼り付けと剥がし取りとが出来る粘着によって底部２への取り付けが考えられるが、調理台の上に計量カップを置いたままで調合する場合には指示板４の下端部が調理台の面に接するので、指示板４は取り付け手段を設けなくても外れ落ちることがない。
【００１８】
底部２の底部内側面９に指示板４を取り付けることも考えられるもので、底部内側面９に取り付けるときには突起部１０や嵌合孔１１等が無くても底部内側面９に指示板４を載せ置くだけで十分である。
【００１９】
このように、指示板４を底部２の底部外側面８から重ね合わせたものは、底部２が透明であるから、開口部１から見て指示板４の表面に書かれた各種の調味料名６と線による量目盛り７とをはっきりと見ることが出来、注ぎ込む調味料の注ぎ先を指示板４に注ぎ当てながら、液面の上昇と量目盛り７とを見ながら調合することが出来るものである。
【実施例２】
【００２０】
図３に示される第２の実施例では、底部２の縁の周辺部分を傾斜させた計量カップのものに対して、その底部２の一部である傾斜した周辺傾斜底部１２に嵌着させるものとしていて、その指示板４の形状は、図４に示すものとなる。
【００２１】
この指示板４には各種の調味料名を記載する場所が無いので、小さい字にするか簡略にした字や記号を記載することになり、各種の調味料名とそれぞれに関連付けた色を別表などによって決めておくことで、各種の色で調味料名を表し、その色幅で量目盛り７を表した状態の指示板４を形成することが考えられる。
【実施例３】
【００２２】
その他、第３の実施例としては、図５に示すように、底部２の中央部分を差し口１３に向けて傾斜させた中央傾斜底部１４に嵌着させるものとしていて、その指示板４の形状は図６の平面図に示すものとなる。
【００２３】
計量カップの底部２を傾斜させることは、その形状を様々に考えることが出来るものであって、底部の周辺や中央部分の他に底部の中心を開口部１に向けて引き上げた円錐形状に傾斜させることも考えられ、これらの底部に合った円錐形状の指示板４を作ることは当然考えられるもので、この円錐形状の指示板４を嵌着させるには重ね合わせることで十分である。
【図面の簡単な説明】
【００２４】
【図１】この発明の実施例１を示す平面図である。
【図２】傾斜した底部外側面に指示板を設けた状態を示す縦断面図である。
【図３】第２の実施例の計量カップを示す斜視図である。
【図４】傾斜した周辺傾斜底部に嵌着させる指示板を示す平面図である。
【図５】第３の実施例の計量カップを示す斜視図である。
【図６】傾斜した中央傾斜底部に嵌着させる指示板を示す平面図である。
【符号の説明】
【００２５】
１  開口部
２  底部
３  容器本体
４  指示板
５  名称
６  調味料名
７  量目盛り
８  底部外側面
９  底部内側面
１０  突起部
１１  嵌合孔
１２  周辺傾斜底部
１３  差し口
１４  中央傾斜底部
【図１】
2005345162.tif 000003
【図２】
2005345162.tif 000004
【図３】
2005345162.tif 000005
【図４】
2005345162.tif 000006
【図５】
2005345162.tif 000007
【図６】
2005345162.tif 000008